(57)【特許請求の範囲】
【請求項１】
信号網に接続された情報配信のための情報を格納している情報配信サーバと、該信号網に接続された呼処理を制御するアンカー交換ノードと、該アンカー交換ノードと接続された複数の基地局と、該基地局の１つと接続された移動機とを備え、該情報配信サーバから該移動機へ情報配信する際の情報配信エリアを設定する情報配信エリア設定システムにおいて、
前記アンカー交換ノードは、
前記移動機が通信中の第１コールで設定されている前記アンカー交換ノードから前記基地局までのルートを示す第１コネクションを記憶する手段と、
前記第１移動機がハンドオーバを行った場合、前記アンカー交換ノードからハンドオーバ先の基地局までのルートを示すコネクションへ前記第１コネクションを変更する手段と、
前記情報配信サーバから前記移動機へ情報配信するコネクションを設定する場合、前記変更された第１コネクションに示されるルートと同じルートのコネクションへ前記第２コネクションを変更する手段と
を備えたことを特徴とする情報配信エリア設定システム。
【請求項２】
信号網に接続された情報配信のための情報を格納している情報配信サーバと、該信号網に接続された加入者の情報を格納するホーム・メモリと、前記信号網に接続された呼処理を制御するアンカー交換ノードと、該アンカー交換ノードと接続された複数の基地局と、該基地局の１つと接続された移動機とを備え、該情報配信サーバから該移動機へ情報配信する際の情報配信エリアを設定する情報配信エリア設定システムにおいて、
前記ホーム・メモリは、
加入者の通話状態を記憶する手段と、
前記アンカー交換ノードの識別子とを備え、
前記アンカー交換ノードは、
前記移動機が通信中の第１コールで設定されている前記アンカー交換ノードから前記基地局までのルートを示す第１コネクションを記憶する手段と、
前記情報配信サーバから前記移動機へ情報配信するコネクションを設定する場合、前記第１コネクションに示されるルートと同じルートの第２コネクションを前記アンカー交換ノードから前記基地局まで設定する手段と、
前記ホーム・メモリと通信する手段と
を備えたことを特徴とする情報配信エリア設定システム。
【請求項３】
請求項２記載の情報配信エリア設定システムにおいて、前記情報サーバは、前記アンカー交換ノードまでのコネクションを設定する手段を備えたことを特徴とする情報配信エリア設定システム。
【請求項４】
請求項２記載の情報配信エリア設定システムにおいて、前記情報サーバは、前記基地局までのコネクションを設定することを特徴とする情報配信エリア設定システム。
【請求項５】
信号網に接続された情報配信のための情報を格納している情報配信サーバと、該信号網に接続された呼処理を制御するアンカー交換ノードと、該アンカー交換ノードと接続された複数の基地局と、該基地局の１つと接続された移動機とを備え、該情報配信サーバから該移動機へ情報配信する際の情報配信エリアを設定する情報配信エリア設定システムにおいて、
前記アンカー交換ノードは、
前記移動機が通信中の第１コールで設定されている前記アンカー交換ノードから前記基地局までのルートを示す第１コネクションを記憶する手段と、
前記情報配信サーバから前記移動機へ情報配信するコネクションを設定する場合、前記第１コネクションに示されるルートと同じルートの第２コネクションを前記アンカー交換ノードから前記基地局まで設定する手段とを備え、
前記アンカー交換ノードに複数の情報配信対象加入者が存在する場合、前記情報配信サーバから前記アンカー交換ノードまでは単一のコネクションを設定し、該アンカー交換ノードから配下の複数の基地局へ配信情報をコピーして配信することを特徴とする情報配信エリア設定システム。
【請求項６】
請求項１ないし４のいずれかに記載の情報配信エリア設定システムにおいて、前記アンカー交換ノードに複数の情報配信対象加入者が存在する場合、前記情報配信サーバから前記アンカー交換ノードまでは単一のコネクションを設定し、該アンカー交換ノードから配下の複数の基地局へ配信情報をコピーして配信することを特徴とする情報配信エリア設定システム。
【請求項７】
信号網に接続された情報配信のための情報を格納している情報配信サーバと、該信号網に接続された呼処理を制御するアンカー交換ノードと、該アンカー交換ノードと接続された複数の基地局と、該基地局の１つと接続された移動機とを備え、該情報配信サーバから該移動機へ情報配信する際の情報配信エリアを設定する情報配信エリア設定システムにおいて、
前記アンカー交換ノードは、
前記移動機が通信中の第１コールで設定されている前記アンカー交換ノードから前記基地局までのルートを示す第１コネクションを記憶する手段と、
前記情報配信サーバから前記移動機へ情報配信するコネクションを設定する場合、前記第１コネクションに示されるルートと同じルートの第２コネクションを前記アンカー交換ノードから前記基地局まで設定する手段とを備え、
前記基地局に複数の情報配信対象加入者が存在する場合、前記情報配信サーバから前記基地局までは単一のコネクションを設定し、該基地局から複数の移動機へ配信情報を情報配信用の無線チャネルを用いて配信することを特徴とする情報配信エリア設定システム。
【請求項８】
請求項１ないし４のいずれかに記載の情報配信エリア設定システムにおいて、前記基地局に複数の情報配信対象加入者が存在する場合、前記情報配信サーバから前記基地局までは単一のコネクションを設定し、該基地局から複数の移動機へ配信情報を情報配信用の無線チャネルを用いて配信することを特徴とする情報配信エリア設定システム。
【請求項９】
信号網に接続された情報配信のための情報を格納している情報配信サーバと、該信号網に接続された呼処理を制御するアンカー交換ノードと、該アンカー交換ノードと接続された複数の基地局と、該基地局の１つと接続された移動機とを有する移動通信網における該情報配信サーバから該移動機へ情報配信する際の情報配信エリア設定方法において、
前記移動機が通信中の第１コールで設定されている前記アンカー交換ノードから前記基地局までのルートを示す第１コネクションを記憶するステップと、
前記移動機がハンドオーバを行った場合、前記アンカー交換ノードからハンドオーバ先の基地局までのルートを示すコネクションへ前記第１コネクションを変更するステップと、
前記情報配信サーバから前記移動機へ情報配信するコネクションを設定する場合、前記変更された第１コネクションに示されるルートと同じルートのコネクションへ前記第２コネクションを変更するステップと
を備えたことを特徴とする情報配信エリア設定方法。
【発明の詳細な説明】
【０００１】
【発明の属する技術分野】
本発明は、情報配信エリア設定システムおよび方法に関する。
【０００２】
【従来の技術】
従来、ある特定の１以上の移動機へ情報を配信するために、情報配信サーバから情報配信のためのエンド・ノード（またはアンカー・ノード、例えば基地局）までのコネクションを設定する場合、その１以上の移動機への一斉呼出し手順を行うことによりコネクションを設定していた。
【０００３】
図１は情報配信が行われる移動通信網１１０の構成の概略を示し、図２は図１の移動通信網上の、従来の一斉呼出しの手順における情報配信の概要を示す。
【０００４】
図１において、ホーム・メモリ１１５は加入者の情報を登録し蓄積して、他のノードからの問い合わせ等に対して蓄積した情報を編集等して応答する機能を有するものであり、複数の交換ノード等が接続する共通線信号網１２５に接続されている。この共通線信号網１２５にはさらに、配信する情報を有する情報配信サーバ１２０と、他のＰＬＭＮ／公衆交換電話網（Public Switched Telephone network : ＰＳＴＮ）１６０との中継を行う関門交換ノード１３５と、加入者の呼を処理する加入者交換ノード（または呼制御局ともいう）１３０とが接続されている。なお、他のＰＬＭＮ／ＰＳＴＮ網１６０にはデータ端末（Data Terminal Equipment : ＤＴＥ）１６５等が接続されている。加入者交換ノード１３０には、複数の基地局１４０、１４５が接続され、基地局１４０には移動機１５０が接続され、移動機１５０にはデータ端末１５５が接続されている。
【０００５】
図２において、図１と同じ符号が付されたものは同じ機能を有するものであるため、説明は省略する。
【０００６】
図２において、情報配信サーバ１２０が情報配信を起動する（２１０）。対象とする加入者の移動機番号（Mobile Station Number : ＭＳＮ）は、例えば０１０−２３−４５６７８である。情報配信サーバ１２０は、ホーム・メモリ１１５に対してこのＭＳＮに該当する移動機の位置登録エリアについて問い合わせて（２２０）、このＭＳＮに該当する移動機が在圏する加入者交換ノード１３０を得る。加入者交換ノード１３０は、このＭＳＮを用いて複数の基地局１４０、１４５等に呼出信号を送出する一斉呼出し（２３０）を行い、このＭＳＮに該当する移動機１５０はこの一斉呼出しに応答する。この結果、移動機１５０が在圏する基地局１４０が判明するので、配信エリア（基地局１４０）までのコネクションを設定し（２４０）、情報配信サーバ１２０から情報を転送し（２５０）、基地局１４０から移動機１５０（さらにデータ端末１５５）へ情報が配信されていた。
【０００７】
【発明が解決しようとする課題】
しかし、上述の一斉呼出しを行う方法では移動機の在圏する配信エリア（基地局）を限定することができないため、一斉呼出し／応答の手順が必要となり、この結果、配信時間に一斉呼出し／応答の手順の分の時間がかかり、さらに移動通信網内のトラヒックの増加が生じるという問題があった。
【０００８】
そこで、本発明の目的は上記問題を解決するためになされたものであり、情報配信エリアを限定することにより一斉呼出し／応答の手順を不要とし、配信時間の短縮、さらに移動通信網内のトラヒックの増加を避けることが可能な情報配信エリア設定システムおよび方法を提供することにある。
【０００９】
【課題を解決するための手段】
請求項１に記載の発明は、信号網に接続された情報配信のための情報を格納している情報配信サーバと、信号網に接続された呼処理を制御するアンカー交換ノードと、アンカー交換ノードと接続された複数の基地局と、基地局の１つと接続された移動機とを備え、情報配信サーバから移動機へ情報配信する際の情報配信エリアを設定する情報配信エリア設定システムにおいて、アンカー交換ノードは、移動機が通信中の第１コールで設定されているアンカー交換ノードから前記基地局までのルートを示す第１コネクションを記憶する手段と、第１移動機がハンドオーバを行った場合、アンカー交換ノードからハンドオーバ先の基地局までのルートを示すコネクションへ第１コネクションを変更する手段と、情報配信サーバから移動機へ情報配信するコネクションを設定する場合、変更された第１コネクションに示されるルートと同じルートのコネクションへ第２コネクションを変更する手段とを備えることができる。
【００１０】
請求項２に記載の発明は、信号網に接続された情報配信のための情報を格納している情報配信サーバと、信号網に接続された加入者の情報を格納するホーム・メモリと、信号網に接続された呼処理を制御するアンカー交換ノードと、アンカー交換ノードと接続された複数の基地局と、基地局の１つと接続された移動機とを備え、情報配信サーバから移動機へ情報配信する際の情報配信エリアを設定する情報配信エリア設定システムにおいて、ホーム・メモリは、加入者の通話状態を記憶する手段と、アンカー交換ノードの識別子とを備え、アンカー交換ノードは、移動機が通信中の第１コールで設定されているアンカー交換ノードから基地局までのルートを示す第１コネクションを記憶する手段と、情報配信サーバから移動機へ情報配信するコネクションを設定する場合、第１コネクションに示されるルートと同じルートの第２コネクションをアンカー交換ノードから基地局まで設定する手段と、ホーム・メモリと通信する手段とを備えることができる。
【００１１】
請求項３に記載の発明は、請求項２記載の情報配信エリア設定システムにおいて、情報サーバは、アンカー交換ノードまでのコネクションを設定する手段を備えることができる。
【００１２】
請求項４に記載の発明は、請求項２記載の情報配信エリア設定システムにおいて、情報サーバは、基地局までのコネクションを設定することができる。
【００１３】
請求項５に記載の発明は、信号網に接続された情報配信のための情報を格納している情報配信サーバと、信号網に接続された呼処理を制御するアンカー交換ノードと、アンカー交換ノードと接続された複数の基地局と、基地局の１つと接続された移動機とを備え、情報配信サーバから移動機へ情報配信する際の情報配信エリアを設定する情報配信エリア設定システムにおいて、アンカー交換ノードは、移動機が通信中の第１コールで設定されているアンカー交換ノードから基地局までのルートを示す第１コネクションを記憶する手段と、情報配信サーバから移動機へ情報配信するコネクションを設定する場合、第１コネクションに示されるルートと同じルートの第２コネクションをアンカー交換ノードから基地局まで設定する手段とを備え、アンカー交換ノードに複数の情報配信対象加入者が存在する場合、情報配信サーバからアンカー交換ノードまでは単一のコネクションを設定し、アンカー交換ノードから配下の複数の基地局へ配信情報をコピーして配信することができる。
【００１４】
請求項６に記載の発明は、請求項１ないし４のいずれかに記載の情報配信エリア設定システムにおいて、アンカー交換ノードに複数の情報配信対象加入者が存在する場合、情報配信サーバからアンカー交換ノードまでは単一のコネクションを設定し、アンカー交換ノードから配下の複数の基地局へ配信情報をコピーして配信することができる。
【００１５】
請求項７に記載の発明は、信号網に接続された情報配信のための情報を格納している情報配信サーバと、信号網に接続された呼処理を制御するアンカー交換ノードと、アンカー交換ノードと接続された複数の基地局と、基地局の１つと接続された移動機とを備え、情報配信サーバから移動機へ情報配信する際の情報配信エリアを設定する情報配信エリア設定システムにおいて、アンカー交換ノードは、移動機が通信中の第１コールで設定されているアンカー交換ノードから基地局までのルートを示す第１コネクションを記憶する手段と、情報配信サーバから移動機へ情報配信するコネクションを設定する場合、第１コネクションに示されるルートと同じルートの第２コネクションをアンカー交換ノードから基地局まで設定する手段とを備え、基地局に複数の情報配信対象加入者が存在する場合、前記情報配信サーバから基地局までは単一のコネクションを設定し、基地局から複数の移動機へ配信情報を情報配信用の無線チャネルを用いて配信することができる。
【００１６】
請求項８に記載の発明は、請求項１ないし４のいずれかに記載の情報配信エリア設定システムにおいて、基地局に複数の情報配信対象加入者が存在する場合、情報配信サーバから基地局までは単一のコネクションを設定し、基地局から複数の移動機へ配信情報を情報配信用の無線チャネルを用いて配信することができる。
【００１７】
請求項９に記載の発明は、信号網に接続された情報配信のための情報を格納している情報配信サーバと、信号網に接続された呼処理を制御するアンカー交換ノードと、アンカー交換ノードと接続された複数の基地局と、基地局の１つと接続された移動機とを有する移動通信網における情報配信サーバから移動機へ情報配信する際の情報配信エリア設定方法において、移動機が通信中の第１コールで設定されているアンカー交換ノードから基地局までのルートを示す第１コネクションを記憶するステップと、移動機がハンドオーバを行った場合、アンカー交換ノードからハンドオーバ先の基地局までのルートを示すコネクションへ第１コネクションを変更するステップと、情報配信サーバから移動機へ情報配信するコネクションを設定する場合、変更された第１コネクションに示されるルートと同じルートのコネクションへ第２コネクションを変更するステップとを備えることができる。
【００１９】
【発明の実施の形態】
以下、図面を参照して、本発明の実施の形態を詳細に説明する。
【００２０】
（実施の形態１）
図３は、本発明の情報配信における実施の形態１の概要を示す。図３において、図２と同じ符号が付されたものは同じ機能を有するものであるため、説明は省略する。
【００２１】
図３において、移動機１５０は基地局１４０、加入者交換ノード（または呼制御局）１３０、関門交換ノード１３５を介して、他ＰＬＭＮ／ＰＳＴＮ１６０に接続されたＤＴＥ１６５等と通信中であるものとし、これを第１コールと呼ぶ。すなわち移動機またはデータ端末１５５は、ＤＴＥ１６５と第１コール通信中（３８０）である。加入者交換ノード（呼制御局）１３０には、第１コールのルートを示す第１コール・コネクション情報（例えばコネクション識別子）３７０が記憶されている。ホーム・メモリ１１５には、第１コール通信中（３８０）のＭＳＮ（例えば０１０−２３−４５６７８）に該当する移動機の通話状態（例えば通話中）と、その呼を処理する呼制御局（例えば加入者交換ノード１３０）の識別子（例えばノード番号）とが記憶されている。ある移動機（例えば移動機１５０）が通信中になった場合、その移動機１５０の呼を処理する呼制御局（例えば呼制御局１３０）の識別子（例えばノード番号）は、呼制御局１３０がホーム・メモリ１１５に登録する。
【００２２】
情報配信が起動される（２１０）と、情報配信サーバ１２０はホーム・メモリ１１５にＭＳＮに該当する移動機１５０が通信中かどうかを問い合わせる（２２０）。第１コール通信中であると、その呼を処理している呼制御局１３０も得ることができるので、その呼制御局１３０までのコネクションを設定する（３３０）。呼制御局１３０は、上述のように第１コールのルートを示す第１コール・コネクション情報３７０を記憶しているので、第１コールのコネクションと同じエリア（基地局１４０）まで第２のコネクションを設定する（３４０）。この後、情報サーバ１２０から情報が転送され（２５０）、この情報が基地局１４０から移動機１５０へ配信される（２６０）。
【００２３】
上述のように配信することにより、従来の配信方法による一斉呼び出しは不要となるため、配信に要する時間は短縮され、移動通信網のトラヒックも増加させないで済むことになる。
【００２４】
図４は、ハンドオーバを行った場合の、本発明の情報配信における実施の形態１の概要を示す。図４において、図２と同じ符号が付されたものは同じ機能を有するものであるため、説明は省略する。
【００２５】
図４において、ハンドオーバ元の基地局１４０に在圏していた移動機１５０は、ハンドオーバ先の基地局１４５の下に在圏している。ハンドオーバ後の第１コール・コネクション情報は、呼制御局１３０に更新された状態で記憶されている。したがって、情報配信が起動される（２１０）と、情報配信サーバ１２０はホーム・メモリ１１５にＭＳＮに該当する移動機１５０が通信中かどうかを問い合わせる（２２０）。第１コール通信中であると、その呼を処理している呼制御局１３０も得ることができるので、その呼制御局１３０までのコネクションを設定する（４３０）。呼制御局１３０は、上述のように更新された第１コールのルートを示す第１コール・コネクション情報３７０を記憶しているので、第１コールのコネクションと同じエリア（基地局１４５）まで第２のコネクションを更新して設定する（４４０）。この後、情報サーバ１２０から情報が転送され（２５０）、この情報が基地局１４０から移動機１５０へ配信される（４６０）。
【００２６】
（実施の形態２）
図５は、本発明の情報配信における実施の形態２の概要を示す。本実施の形態２は、情報を配信する対象となる第１コール中の移動機が複数存在し、例えばグループに分けられている場合を示す。図５において、図２と同じ符号が付されたものは同じ機能を有するものであるため、説明は省略する。
【００２７】
図５において、情報配信サーバまたは装置（情報配信サーバ等）５２０は情報配信サーバ１２０と基本的機能が同じである装置を含む。ホーム・メモリまたは専用装置（ホーム・メモリ等）５１５も同様にホーム・メモリ１１５と基本的機能が同じである専用装置を含む。ＩＰ−ＮＷ５２５は信号網の一例として挙げられたものである。
【００２８】
ホーム・メモリ等５１５には、例えばグループＸに属する第１コール中の移動機がエリアα（例えば基地局１４０）には存在し（ＹＥＳ）、エリアβ（例えば基地局１４５）には存在せず（ＮＯ）、エリアγには存在する（ＹＥＳ）等を示すデータが記憶されている。同様に他のグループＹに属する第１コール中の移動機がエリアα（例えば基地局１４０）には存在し（ＹＥＳ）、エリアβ（例えば基地局１４５）には存在しない（ＮＯ）等を示すデータが記憶されている。
【００２９】
情報配信サーバ等５２０は、例えば「エリアαに在圏するグループＸ」に情報配信を起動または指示する（５１０）。情報配信サーバ等５２０は、ホーム・メモリ等５１５に対して、例えば「エリアαに存在するグループＸ」を問い合わせる（５２５）。その結果、エリアαにグループＸが存在すれば、このグループＸに対して情報が配信される（５６０）。
【００３０】
（実施の形態３）
図６および図７は、本発明の情報配信における実施の形態３における接続手順等を示す。本実施の形態３は、情報を配信する対象となる第１コール中の移動機が複数個同じエリアに存在する場合のフィルタリングを示す。図６および図７は一連の手順であり、移動機Ａ（６００）、移動機Ｂ（６２０）、呼制御局Ａ（６３０）、呼制御局Ｂ（６４０）、情報サーバ（６５０）、ホーム・メモリ６６０等の各線はつながっているものである。
【００３１】
情報サーバ６５０に配信内容および設定内容が登録される（６７１）。例えば登録内容は、配信宛先の複数の移動機の電話番号である。配信内容は「本日は．．．である。」等の通信内容であり、その他のパラメータ（配信回数等）も登録されている。情報配信が起動されると（６７３）、情報サーバ６５０はホーム・メモリ６６０に配信先のユーザー等の情報を問い合わせ（６７５）、ホーム・メモリ６６０は情報サーバ６５０に配信先の位置情報を応答する（６７７）。情報サーバ６５０は、ハイシンエリアまでコネクションのフィルタリングを行う（６７９）。
【００３２】
図８は、本実施の形態３におけるフィルタリング７００を説明する。
【００３３】
図８において、フィルタリング７００には、同じ呼制御局（例えば、横浜Ａ、品川Ｂ、新宿Ｃ等）毎に、その呼制御局に収容される移動機の識別子がまとめて記憶されて、各々コネクション番号が付されている。このように複数のユーザが同一の呼制御局に存在する場合、情報配信サーバから呼制御局までコネクションを統合化して一本のみ設定する。
【００３４】
情報サーバ６５０は、Ｂ−ＩＳＵＰ(Broadband ISDN User Part)またはＩＳＵＰ(ISDN User Part)等を利用して必要な分だけ、例えば呼制御局Ａ６３０に対して（６８１）、呼制御局Ｂ６４０に対して（６８３）、コネクションの設定を行う。このとき情報配信番号と移動機識別子とを同時に転送する。
【００３５】
呼制御局Ａ６３０と呼制御局Ｂ６４０は各々情報を配信する（６８６、６８５）。移動機Ａ６００と移動機Ｂ６２０は、自分の移動機識別子と一致した場合にその情報を受信する（６８７）。呼制御局Ａ６３０と呼制御局Ｂ６４０は、必要な回数だけ情報を配信する（６８９、６９１）。配信が終了すると（６９３）情報サーバ６５０に通知される（６９４、６９５）。
【００３６】
移動機Ａ６００、移動機Ｂ６２０から各々呼制御局Ａ６３０、呼制御局Ｂ６４０へ送達確認応答を行うこともできる。このとき、情報配信番号と移動機識別子とを同時に転送することもできる。呼制御局Ａ６３０、呼制御局Ｂ６４０はすべての移動機からの送達確認を受信することもできる（６９７）。呼制御局Ａ６３０、Ｂ６４０は、情報サーバ６５０へ送達確認情報を転送することもできる。
【００３７】
図９は、実施の形態３において、配信ノードが基地局の場合の情報配信の詳細を示す。図９において、図２と同じ符号が付されたものは同じ機能を有するものであるため、説明は省略する。
【００３８】
図９に示すように、情報を配信するための配信ノード（例えば基地局、加入者交換局）が基地局１４０である場合、基地局１４０に固有の情報配信用の無線チャネル８２０を利用して、配信コネクション８１０により送られた情報配信識別番号、移動機識別番号８１５と共に、配信情報を移動機ＭＳ１５０へ送信する。
【００３９】
図１０は、実施の形態３において、配信ノードが加入者交換ノードおよび基地局の場合の情報配信の詳細を示す。図１０において、図２と同じ符号が付されたものは同じ機能を有するものであるため、説明は省略する。
【００４０】
図１０に示すように、情報を配信するための配信ノード（例えば基地局、加入者交換局）が基地局１４０、１４５の上位の加入者交換ノード１３０である場合、配信用コネクション９１０により送られた情報配信識別番号、移動機識別番号８１５と共に配信情報を配下の複数の基地局４１０、４１５等へコピーして転送する。その後、基地局１４０、１４５に固有の情報配信用の無線チャネル８２０、８２５等を利用して、配信情報を移動機ＭＳ１５０、１５２へ送信する。移動機ＭＳ１５０へ送信する。
【００４１】
図１１は、本発明の情報配信における実施の形態２の一例を示す。図１１において、図２と同じ符号が付されたものは同じ機能を有するものであるため、説明は省略する。
【００４２】
図１１において、情報配信が起動される（１０１０）と、情報配信サーバ１２０はホーム・メモリ１１５に複数のＭＳＮ（例えば０１０−２３−４５６７８、０１０−９８−７６５４３）に該当する移動機１５０、１５６が通信中かどうかを問い合わせる（２２０）。情報配信サーバ１２０は、複数の移動機１５０、１５６の呼制御局を問い合わせて同じ呼制御局が存在する場合は、前述のフィルタリングを行って、統合化された１本のコネクションを設定する。第１コール通信中であると、その呼を処理している呼制御局１３０も得ることができるので、その呼制御局１３０までのコネクションを設定する（１０３０）。呼制御局１３０は、上述のように第１コールのルートを示す第１コール・コネクション情報１０７０を記憶しているので、第１コールのコネクションと同じエリア（基地局１４０）まで第２のコネクションを設定する（１０４０）。この後、情報サーバ１２０から情報が転送される（１０５０）。配信情報を転送する際、そのコネクションに収容される移動機を識別するための識別子を同時に転送する。基地局は配信情報を無線チャネル上に乗せる際に、識別子として移動機を識別するための識別子を同時に設定する。配信された情報は、基地局１４０から移動機１５０、１５６へ配信される（１０６０）。移動機１５０、１５６は、自分の識別子があった場合にその配信情報を受信する。
【００４３】
【発明の効果】
以上説明したように、本発明の情報配信エリア設定システムおよび方法によれば、情報配信エリアを限定することにより一斉呼出し／応答の手順を不要とし、配信時間の短縮、さらに移動通信網内のトラヒックの増加を避けることが可能な情報配信エリア設定システムおよび方法を提供することができる。
【図面の簡単な説明】
【図１】情報配信が行われる移動通信網の構成の概略を示す図である。
【図２】従来の一斉呼出しの手順における情報配信の概要を示す図である。
【図３】本発明の情報配信における実施の形態１の概要を示す図である。
【図４】ハンドオーバを行った場合の、本発明の情報配信における実施の形態１の概要を示す図である。
【図５】本発明の情報配信における実施の形態２の概要を示す図である。
【図６】本発明の情報配信における実施の形態３の接続手順等を示す図である。
【図７】本発明の情報配信における実施の形態３の接続手順等を示す図である。
【図８】本発明の情報配信における実施の形態３で用いるフィルタリングを説明する図である。
【図９】本発明の実施の形態３において、配信ノードが基地局の場合の情報配信の詳細を示す図である。
【図１０】本発明の実施の形態３において、配信ノードが加入者交換ノードおよび基地局の場合の情報配信の詳細を示す図である。
【図１１】本発明の情報配信における実施の形態３の一例を示す図である。
【符号の説明】
１１０  移動通信網
１１５  ホーム・メモリ
１２０  情報配信サーバ
１２５  共通線信号網
１３０  加入者交換ノード
１３５  関門交換ノード
１４０、１４５  基地局
１５０、１５６  移動機
１５５、１５８、１６５  データ端末
１６０  他ＰＬＭＮ／ＰＳＴＮ
５２５  ＩＰ−ＮＷ
８１０、９１０  配信用コネクション
８１５  識別番号
８２０、８２５  情報配信用無線チャネル
【図１】
0003659386.tif 000002
【図２】
0003659386.tif 000003
【図３】
0003659386.tif 000004
【図４】
0003659386.tif 000005
【図５】
0003659386.tif 000006
【図６】
0003659386.tif 000007
【図７】
0003659386.tif 000008
【図８】
0003659386.tif 000009
【図９】
0003659386.tif 000010
【図１０】
0003659386.tif 000011
【図１１】
0003659386.tif 000012